(57)【要約】【課題】  故障の少ない構造で装置コスト,ランニングコストを抑え、それでいて熱移動が円滑,効率的で、しかも受熱板が濡れずに衛生的なペット用冷房装置を提供することを目的とする。【解決手段】  上面にペット(Ｐ)を載せることのできる熱伝導性の受熱板(１０)が設けられた基盤(１)と、該基盤(１)の一側で起立するように配設される放熱板(２)と、前記受熱板(１０)の下面側に主部(３０)を当接させる一方、該主部(３０)から受熱板(１０)外に延設する副部(３１)を屈曲起立させその起立部分(３１２)を前記放熱板(２)に当接させるようにしたヒートパイプ(３)と、を具備する。【選択図】  図１
2005061723.tif 000002
【特許請求の範囲】
【請求項１】
上面にペット(Ｐ)を載せることのできる熱伝導性の受熱板(１０)が設けられた基盤(１)と、
該基盤(１)の一側で起立するように配設される放熱板(２)と、
前記受熱板(１０)の下面側に主部(３０)を当接させる一方、該主部(３０)から受熱板(１０)外に延設する副部(３１)を屈曲起立させその起立部分(３１２)を前記放熱板(２)に当接させるようにしたヒートパイプ(３)と、を具備することを特徴とするペット用冷房装置。
【請求項２】
水溶液(Ｌ)を貯溜しその液面上方に前記放熱板(２)を突出するように配設する受槽(４)と、
一部を前記水溶液(Ｌ)に浸漬させて前記放熱板(２)に被着される濡れ性のあるシート状体(５)と、
一部に排気用開口(６３)を設けると共にファン取付口(６４)を形成し、且つ前記受槽(２)の上方に空間を確保して前記放熱板(６３)に被着されるシート状体(５)を覆って取付けられるカバーケース(６)と、
前記ファン取付口(６４)に取着されるファン(７)と、をさらに具備する請求項１記載のペット用冷房装置。
【発明の詳細な説明】
【技術分野】
【０００１】
本発明は犬や猫等のペット(愛玩用小動物)の暑さ対策として使用されるペット用冷房装置に関する。
【背景技術】
【０００２】
犬や猫等のペットも夏になれば人間と同様、暑いのに変わりはなく、暑さ対策としてこれまで様々な機器類が提案されてきた（例えば、特許文献１,２参照）。
【０００３】
【特許文献１】特開２００２−１９９８２３公報（第２−４頁）
【特許文献２】特開２０００−１７５５８２公報（第１−４頁）
【０００４】
特許文献１の技術は、愛玩動物が使用する保冷マットにおいて、熱伝導性部材を有する愛玩動物載置部と、前記愛玩動物載置部の下部に配置された冷却含浸体と、前記冷却含浸体に風を当てる送風装置とを備えた愛玩動物用保冷マットである。
また特許文献２の技術は、ベース上に設置した熱伝導板の表面上にペットが乗るスペースを設け、熱伝導板に電子冷却ユニットを設け、電子冷却ユニットに放熱フィン、放熱フィンに送風する送風ファンを設けた小動物用冷却装置において、送風ファンから放熱フィンに通した排熱をベースの底面側に形成した通気路に流すようにした小動物用冷房装置である。
【発明の開示】
【発明が解決しようとする課題】
【０００５】
しかるに、特許文献１の技術は、冷却液タンクから冷却含浸体に冷却液を供給するが、冷却含浸体が全体に亘って均等に冷却液の供給を受けるのは難しく、冷却液タンクから遠くなればなるほど冷却含浸体に冷却液が届き難かった。送風装置からの風をまんべんなく冷却含浸体に当てるのも難しかった。風の流れのムラはそのまま保冷効率の低下につながった。
特許文献２の技術は、ペルチェユニット等の電子冷却ユニットを採用しており、製品コストが高く、また運転コストも高くなっていた。
他に、ペットの載る熱伝導板の下側に保冷剤,蓄冷剤を収納するペット用保冷マット等が提案されているが、ペットの載る熱伝導板が保冷剤,蓄冷剤の過冷却現象で冷えすぎて水滴がつくといった問題があった。
【０００６】
本発明は上記問題点を解決するもので、故障の少ない構造で装置コスト,ランニングコストを抑え、それでいて熱移動が円滑,効率的で、しかも受熱板が濡れずに衛生的なペット用冷房装置を提供することを目的とする。
【課題を解決するための手段】
【０００７】
上記目的を達成すべく、請求項１に記載の発明の要旨は、上面にペット(Ｐ)を載せることのできる熱伝導性の受熱板(１０)が設けられた基盤(１)と、該基盤(１)の一側で起立するように配設される放熱板(２)と、前記受熱板(１０)の下面側に主部(３０)を当接させる一方、該主部(３０)から受熱板(１０)外に延設する副部(３１)を屈曲起立させその起立部分(３１２)を前記放熱板(２)に当接させるようにしたヒートパイプ(３)と、を具備することを特徴とするペット用冷房装置にある。
ここで、「副部(３１)を屈曲起立させその起立部分(３１２)」には、後加工で屈曲させ起立部分を形成する他、成形等で製造当初から主部に対し角度をつけた起立部分を形成するケースも含む。「副部(３１)を屈曲起立させ」は副部の起立部分を屈曲起立させれば足りる。
請求項２の発明たるペット用冷房装置は、請求項１で、水溶液(Ｌ)を貯溜しその液面上方に前記放熱板(２)を突出するように配設する受槽(４)と、一部を前記水溶液(Ｌ)に浸漬させて前記放熱板(２)に被着される濡れ性のあるシート状体(５)と、一部に排気用開口(６３)を設けると共にファン取付口(６４)を形成し、且つ前記受槽(２)の上方に空間を確保して前記放熱板(６３)に被着されるシート状体(５)を覆って取付けられるカバーケース(６)と、前記ファン取付口(６４)に取着されるファン(７)と、をさらに具備することを特徴とする。ここで「水溶液」には水を含む。
【０００８】
(作用)
請求項１の発明のごとく、受熱板(１０)と放熱板(２)とヒートパイプ(３)とを備え、主部(３０)から受熱板(１０)外に延設する副部(３１)を屈曲起立させその起立部分(３１２)を前記放熱板(２)に当接させるようにしたヒートパイプ(３)が設けられると、ヒートパイプの配設によってペットから熱を奪う冷房機能域と熱を外部へ放出する放熱板の熱放出域とを隔てることが容易になり、ペットに快適な冷房装置になる。そして受熱板(１０)の下面側に主部(３０)を当接させるヒートパイプ(３)が設けられると、受熱板の角部や或いは受熱板が大きくなっても、ヒートパイプの主部の引き回しや配設本数を適当に増やせば簡単に受熱板全体に亘ってほぼ均一な保冷作用を発揮できる。
請求項２のごとく受槽(４)とシート状体(５)とカバーケース(６)とファン(７)とを備えると、ファンの作動でシート状体から水溶液が蒸発する際の蒸発潜熱で冷却作用が強まるので、ヒートパイプ内の受熱板側で熱を奪って放熱板に達した蒸気流の凝縮がより円滑に進む。放熱板の冷却側は水溶液が蒸発する際の蒸発潜熱を利用し、湿度が制御するので、露点より受熱板温度が下がることがなく、冷えすぎて受熱板に水滴がつくことはない。
【発明の効果】
【０００９】
本発明のペット用冷房装置は、ヒートパイプの主部を受熱板の下面側に当接させる一方、該主部から受熱板外に延設するヒートパイプの副部を屈曲起立させその起立部分を前記放熱板に当接させるようにしているので、ペットから受熱板に伝えられた熱はヒートパイプで低温部の放熱板に高速移動し、放熱板から熱が速やかに放出される。受熱板にペットが乗っている場合でも、受熱板の下面側に主部を当接させる一方、該主部から受熱板外に延設する副部を屈曲起立させその起立部分を前記放熱板に当接させるようにしたヒートパイプの作用で、放熱を順次安定して行うことができる。そして、受熱板と放熱板とがヒートパイプを介して分離されるので、受熱板が湿らず清潔に保たれる。
さらに、水溶液を貯溜しその液面上方に前記放熱板を突出するように配設する受槽と、一部を前記水溶液に浸漬させて前記放熱板及びヒートパイプに被着される濡れ性のあるシート状体と、一部に排気用開口を設けると共にファン取付口を形成し、且つ前記受槽の上方に空間を確保して前記放熱板及びヒートパイプに被着されるシート状体を覆って取付けられるカバーと、前記ファン取付口に取着されるファンと、を備えると、ファンによる強制風を利用し、さらに放熱に水の蒸発潜熱を利用することができ、受熱板をより効率良く冷却できる。その結果、受熱板は外気温に応じて低めの適度な温度に導かれる。湿度の高い日には水の蒸発が抑えられるので、結露が抑制され受熱板は清潔に保たれる。またヒートパイプはその内部で蒸発,移動,凝縮といった動きがあるが、ヒートパイプの自律作用であってこれに電力は要せず、ファンを使用する電力だけが必要であってランニングコストは安い。稼動部はファンだけで故障は少なく、そもそも構造自体が単純で低コストで製造できるなど数々の優れた効果を発揮する。
【発明を実施するための最良の形態】
【００１０】
以下、本発明に係るペット用冷房装置について詳述する。図１〜図６は本発明のペット用冷房装置の一形態で、図１はカバーケースの上カバーを外した状態の全体斜視図、図２は図１の状態からさらにカバーケースの前ケースと基盤の受熱板とを外した全体斜視図、図３は分解斜視図、図４は受槽及び放熱板周りの斜視図、図５は時間経過に対する各測定部位の温度対比グラフ、図６は(イ)が運転状態下の時間に対する各部温度の計測結果図、(ロ)が運転停止したときの時間に対する各部温度の計測結果図を示す。
【００１１】
ペット用冷房装置は基盤１とヒートパイプ３と放熱板２と受槽４とシート状体５とカバーケース６とファン７と水溶液Ｌを具備する。
【００１２】
基盤１は底板１３とフレーム１１と保温部材１２と支持部材１４とフレーム１１と受熱板１０とを備える。方形板からなる底板１３の一側寄りの上面に所定幅の長方形スペースを確保して、残りの主要部を３本のバーで構成されるフレーム１１でコ字形に囲むと共に該主要部上面に文字通りパイプ状のヒートパイプ３を配設する。底板１３にはゴム板やプラスチック板等からなる熱伝導度が小の断熱性部材が用いられる。底板１３の主要部の上面で、コ字形フレーム１１の対向するバー間に、ストレート部分のヒートパイプ主部３０を複数本（ここでは３本）互いに所定間隔あけて平行に配設する。
各ヒートパイプ主部３０の長手方向両側は長尺の支持部材１４が当接し動かぬよう保持する。該支持部材１４は保治具１４１とガイド具１４２とを具備する。保治具１４１は該ヒートパイプ径に相当する側面視Ｕ字形の屈曲部と該屈曲部の両上端が外方水平に張り出す鍔部を備え、該保治具１４１の鍔部上面を受熱板１０の下面に当接させる。そして側面視Ｕ字形の保治具１４１の屈曲部内にヒートパイプ主部３０を当接収納する。保治具１４１の両側に配されるガイド具１４２は側面視コ字形にして、図２のごとくガイド具１４２の上面もまた受熱板１０の下面に当接させる。ここでの支持部材１４はアルミニウムや銅等の熱伝導性に優れる金属製部材からなる。受熱板１０から熱伝導で円滑に熱を受け取り、さらにこの熱をヒートパイプ３に伝え易くするためである。
ヒートパイプ３,支持部材１４が埋まった部分以外の底板１３上にヒートパイプ３のパイプ径に相当する厚みの盤状保温部材１２を載置する。フレーム１１に囲われたこれらヒートパイプ３,支持部材１４,保温部材１２がつくる方形面上に該方形面とほぼ同じ大きさの板状受熱板１０をフレーム１１の枠内に嵌るようにして載せる。受熱板１０は上面にペットＰを載せることのできる板状体である。受熱板１０がヒートパイプ３,支持部材１４,保温部材１２がつくる方形面に載置されると、受熱板上面１０ａとフレーム１１上面がほぼ面一となる。この状態で、ヒートパイプ３は受熱板１０の下面に主部３０を当接する一方、該主部３０から一側寄りの受熱板１０外に副部３１が延設し、その副部３１は底板１３の一側寄り上面(前記長方形スペース)で屈曲起立し起立部分３１２を形成する。
受熱板１０は平坦な上面１０ａにペットＰを載せることのできる板状体で、且つペットＰの体熱を熱移動により円滑に取り除くことのできる熱伝導性材料で造られる。具体的にはアルミニウム板,銅板,ステンレス板等の熱伝導性に優れる金属板等で造られる。アルミニウム板やステンレス鋼からなる受熱板１０は熱伝導度が高く且つ衛生的に保ち易くより好ましい材料となる。
【００１３】
ヒートパイプ３は「アルミニウム,ステンレス鋼,銅などのパイプの内側にガラス繊維や網状の細い銅線等でつくったウイック材を張り、内部を減圧にし、フレオン,アンオニア,水等の熱媒体の蒸気の移動と蒸発潜熱の授受によって熱移動を行う装置」(JIS工業用語大辞典より引用抜粋)で、公知品である。本発明では所定長さのパイプ状体からなるヒートパイプ３を前述のごとく受熱板１０の下面に主部３０を当接させる一方、該主部３０から受熱板１０外に延設する副部３１を屈曲起立させ起立部分３１２を形成する。起立部分３１２は図４のごとく横一線に並ばせ、この起立部分３１２に放熱板２が当接するように取付けられる。
本発明のヒートパイプ３は、内部に毛細管物質のライニング施工のない原始的で単純なヒートパイプでも適用できる。受熱板下面側にあるほぼ水平配設される主部３０が高温側吸熱部で、屈曲起立させ主部３０より高位置に配設される起立部分３１２が低温側熱放出部になっているので、熱媒体の蒸気の移動と蒸発潜熱の授受による熱移動が可能だからである。本ペット用冷房装置の低コスト化に寄与する。
【００１４】
放熱板２は主板２０と補助板２１とを備える。基盤１の一側１ａ(前記長方形スペース側)で起立するように放熱板２が配設される。主板２０は縦がヒートパイプ３の起立部分３１２の垂直部長さより若干短めで、横は３本あるヒートパイプ３,３,３の両端をカバーする長さがある熱伝導性に富むアルミニウム等の板体である。主板２０は図４のような長方形の形をしているが、ヒートパイプ３の当接する部分に側面視Ｕ状の窪み２０１を設け、ヒートパイプ３の起立部分３１２が該窪み２０１に嵌合するようになっている。この嵌合によりヒートパイプ３と主板２０との当接面が増え、ヒートパイプ３から主板２０への熱伝導が円滑に進む。
補助板２１は主板２０とほぼ同形の熱伝導性に富むアルミニウム等の長方形板であるが、主板２０のような窪み２０１はない。主板２０と補助板２１とがヒートパイプ３を挟んで該ヒートパイプ起立部分３１２のメイン３１２ｂに固定される。起立部分３１２の基端から所定長さの基部３１２ａを除いたメイン３１２ｂに放熱板が取着される。ヒートパイプ３に固定された放熱板２は、図２のごとく基盤１の一側１ａの側縁に沿ってこれと並行して起立する。符号２０２は主板２０と補助板２１とをビス等で固定するための透孔を示す。ヒートパイプ３の主部３０を出てから起立部分３１２のメイン３１２ｂに至るまでのつなぎ箇所３１１は熱ロスがないよう断熱部材８で覆われる。ここでは、主板２０と補助板２１を単なる板状体とするが、フィンを適宜設け熱放散速度を高めるようにすることもできる。
【００１５】
受槽４は基盤１の一側に配置され、貯溜タンク(又はパン)４０に水溶液Ｌを貯溜しその液面上方に前記放熱板２が突出するように配設される設備である。貯溜タンク４０の底板１３から上方へヒートパイプ３の起立部分３１２のメイン３１２ｂが突き抜けるように配される。貯溜タンク４０は上面開口の箱型容器で、ヒートパイプ３と底板１３の接合部はシールされ、所定量の水溶液Ｌを溜めることができる。受槽４に水溶液Ｌを溜めたときには、液面Ｌ１より前記放熱板２が上方にあるよう設定される。起立部分３１２の基部３１２ａが水溶液に浸かる。符号４１は貯溜タンク４０を基盤１に固定するサポート部を示す。
ここでいう水溶液Ｌは水(水道水)または水に滅菌,防腐剤等が添加された溶液である。
【００１６】
シート状体５は一部を前記水溶液Ｌに浸漬させて前記放熱板２(及びヒートパイプ３)に被着される濡れ性のあるシート状のものである。シート状体５は具体的には紙,繊維素材等によって織物,編物,不織布等の所定大きさのシート状(布状)に仕立てられる。そしてこのシート状体５は、液体が固体表面から気体を押しのけて広がる濡れ性(濡れ現象)を有する。例えば縦糸と横糸を組み合わせた織物からなるシート状体５にあって、シート状体５の一端を水溶液Ｌに浸漬すれば、その縦糸と横糸の織りなす固体表面及びこれらがつくる隙間に水溶液Ｌが浸透する。この浸透によってシート状体５の本体５ａのほぼ全域を濡らすことができる。
ここでのシート状体５の大きさは、図示のごとく横幅が放熱板２の横長さにほぼ等しく、縦長さは放熱板２に被せたときに該放熱板２の両面に密着して、さらに先端部分（一部）５ｂが水溶液Ｌの液中に浸かる長さがある。シート状体５は、図１のごとくシート状体５の先端部分５ｂを水溶液Ｌに浸漬させて、ヒートパイプ３を挟着した放熱板２に被着される。
【００１７】
カバーケース６は、前記受槽４の上方に所定空間を設けて前記ヒートパイプ３が取付けられた放熱板２を包み込むおおいである。カバーケース６は前ケース６０と後ケース６１と上カバー６２に分割構成されている。前ケース６０は図３のごとく前板部６０ａと側板部６０ｂと上板部６０ｃとからなり、各部は互いに直角になるよう曲げられている。上板部６０ｃには放熱板２が突き出せるよう切欠き６０ｃ１を形成している。後ケース６１は後板部６１ａと側板部６１ｂとからなり、側板部６１ｂが後板部６１ａに対し直角に曲げられている。底板１３の一側寄り上面(前記長方形スペース)で該後ケース６１と前ケース６０とを組み付けると、図１のように受槽４を覆って受槽４内の液面から上方に放熱板２が起立する格好になる。底板１３と前ケース６０と後ケース６１とで放熱板２が起立する部分が開口する方形のボックス体ができる。該ボックス体の上に後ケース６１の側板部６１ｂが載り、後板部６１ａが上に突き出した姿態になるが、さらに上カバー６２を組み付ければ、受槽４の上方に空間を確保して放熱板２及びこれに被着されるシート状体５を覆うカバーケース６が完成する。上カバー６２は上面板部６２ａと傾斜板部６２ｂと垂直板部６２ｃとからなり、上カバー６２が組みつけられると、その周縁が前ケース６０及び後ケース６１の周縁に一致し、見栄えの良いカバーケース６が出来上がる。
本実施形態では、後ケース６１の両側板部にファン取付口６４を設け、また上カバー６２の垂直部６２ｃ及び後ケース６１に係る後板部６１ａの上カバー上面６２ａ寄りにスリット状排気用開口６３を設ける。なお、換気用開口６３を後ケース６１の後板部６１ａのみにすれば、熱を奪って換気用開口から放出される風が受熱板１０の方に侵入し難くなるため、受熱板１０に載るペットＰにとってより好ましくなる。また場合によっては、換気用開口６３から放出される風をペットＰに当て、風による冷房効果を求めることもできる。
【００１８】
そして、両ファン取付口６４にそれぞれファン７が取着される。両ファン７,７は放熱板２を真中にして相対向するよう配設され、ファン７が回ることによって放熱板２に被着させたシート状体５へ風を強制的に送ることができる。その風は、水溶液Ｌが浸透して濡れた状態にあるシート状体５から水の蒸発を促す。蒸発した水すなわち飽和蒸気を含んだ風は排気用開口６３から外へ放出される。ファン７は押込みファンのみならず吸引ファンを採用することもできる。
【００１９】
次に、上記構成のペット用冷房装置について、冷房時の熱移動の様子を説明する。貯溜タンク４０に水溶液Ｌを満たしファン７を回した状態にして受熱板１０にペットＰを載せると、ペットＰの体熱は受熱板１０へと伝わる。受熱板１０に伝わった熱は熱伝導で受熱板１０の下面側に設けたヒートパイプ主部３０に円滑に伝わる。ヒートパイプ３に伝わった熱はヒートパイプ３のその優れた機能でもって移動し、受熱板１０の下面に位置するヒートパイプ主部３０から、放熱板２に当接する副部３１の起立部分３１２へと高速熱移動する。すなわち、受熱板１０の下面側に在るヒートパイプ主部３０にはペットＰから奪った受熱板１０の熱が熱伝導で伝わるが、主部３０のパイプ内ではフレオン,アンオニア,水等の熱媒体の作動液が蒸発し、蒸気流となって低温部の起立部分３１２へと高速移動する。起立部分３１２では水溶液Ｌで濡れたシート状体５にファン７の強制風が当たって、水の蒸発潜熱によりシート状体５,放熱板２が冷やされており、主板２０と補助板２１に挟着されたヒートパイプ３の起立部分３１２のパイプ内では前記蒸気流が凝縮して熱を直ちに放出することになる。放出された熱はファン７の風を受けてシート状体５から水が蒸発する際の蒸発潜熱の形に変えて排気用開口６３から外へ放散する。前記起立部分３１２のパイプ内で凝縮した凝縮液は起立部分３１２を重力落下(場合によってはさらに毛細管現象)によってヒートパイプ主部３０へと戻っていく。そして主部３０に戻った熱媒体の作動液は再び前記受熱板１０から熱を奪い蒸発し、蒸気流となって起立部分３１２へ高速移動し、奪い取った熱を放熱板２,シート状体５を介して排気用開口６３外へ順次放出する動作を繰り返す。ペットＰの体熱は受熱板１０からヒートパイプ３、放熱板２、シート状体５を濡らした水溶液Ｌの蒸発へと連続的にしかも効率良く取り除かれていく。
【００２０】
図５は本ペット用冷房装置を用い、ファン７を起動させた後の外気温,受熱板１０,放熱板２,水溶液Ｌ温度の経時変化を調べた測定結果である。符号Ｔ１は外気温度,Ｔ２は受熱板温度,Ｔ３は水溶液の温度,Ｔ４は放熱板の温度［℃］を示す。受熱板１０に適度の冷たさがあり、ペット用冷房装置として優れたものであることが判った。人が受熱板１０に載ると受熱板１０が敏感に反応して熱を奪い取る様子が読み取れる。人(又はペットＰ)が受熱板１０に載ることによって受熱板１０は温度上昇する。ここでは人が１０分ほど坐ってから立ち退いた。前述の受熱板１０からヒートパイプ３、放熱板２、シート状体５、シート状体５を濡らした水溶液Ｌの蒸発へと熱移動が円滑に行われるのが確認できた。
【００２１】
図６(イ)は運転状態下で、受熱板１０に人が載ったときの時間に対する各部温度の計測結果図、図６(ロ)は運転停止したときの時間に対する各部温度の計測結果図を示す。Ｔ１は〜Ｔ４は図５と同様の各部温度である。運転状態下においては、ペットＰ(ここでは人)が載っても受熱板１０の温度が低く保たれ、ペットＰの冷房装置として有用なのが判る。
【００２２】
このように構成したペット用冷房装置は、受熱板１０と放熱板２とをヒートパイプ３で連結して熱移動を行っているので、ヒートパイプ３の優れた特性をいかんなく発揮しペットＰの体熱を取り除くことが出来る。すなわち、受熱板１０の上に載ったペットＰの体熱は、受熱板１０の下面側に在るヒートパイプ主部３０に係るパイプ内の作動液の蒸発によって吸収され、その吸収された熱は放熱板２に挟着,当接された他端側の起立部分３１２で蒸気の凝縮によって極めて円滑に放出される。本実施形態は受熱板１０とヒートパイプ３の当接による熱伝導に加え、支持部材１４を介して受熱板１０からヒートパイプ３への熱伝達がなされるので、受熱板１０からヒートパイプ３への熱移動がより円滑に進む。加えて、起立部分３１２で水に濡れたシート状体５にファン７の強制風が当たり放熱板２が冷やされるので、温度落差が一段と大きくなり熱移動がより一層進むことになる。放熱板２に被着されたシート状体５からの水の蒸発は、外気温度が高いほど蒸発し易いことから、暑い日にはより快適な環境をペットＰに提供できる。かといって、シート状体５からの水の蒸発潜熱を利用し湿気がコントロールするので、受熱板１０が冷えすぎるといった不具合は発生しない。ヒートパイプを用いていることから受熱板１０に局部的な冷えも起こらず、ペットＰにとって優しい冷房装置となる。
さらにヒートパイプ３の採用に伴い、その長さを適宜調整することによって、ペットＰの熱を奪い取る受熱板１０の場所と放熱板２の場所を切り離すことができる。したがってペットＰが載る受熱板１０の所を快適な環境にすることができる。
しかも、ペルチェユニット等の高額部品がいらず、構造がシンプルで製造コストは従来品に比べ安く設定できる。ファン７を除けば駆動部がなく、装置本体の分解も可能であり、掃除,メンテナンス管理が楽になり、衛生的に保ち易い。電力が必要なのはファン７だけであり、ランニングコストはさほど要しないなど、数々のメリットがある。
【００２３】
尚、本発明においては、前記実施形態に示すものに限られず、目的，用途に応じて本発明の範囲で種々変更できる。基盤１,放熱板２,ヒートパイプ３,受槽４,シート状体５,カバーケース６,ファン７等の形状，大きさ，材質等は用途に合わせて本発明の範囲内で適宜選択できる。例えば、犬小屋の下部に、放熱板２,受槽４の部位を犬小屋の外に出すようにして受熱板１０側の基盤１を嵌入できる横穴を設け、夏場は横から基盤１を該横穴内に挿入,設置することで、犬小屋本体にセット化されるペット用冷房装置とすることもできる。ペット用冷房装置いらないときは抜いておけば、犬小屋として四季を通じ支障なく使用できる。着脱自在の冷房装置付き犬小屋となる。
【図面の簡単な説明】
【００２４】
【図１】本発明に係るペット用冷房装置の一形態で、カバーケースの上カバーを外した状態の全体斜視図である。
【図２】図１の状態からさらにカバーケースの前ケースと基盤の受熱板とを外したペット用冷房装置の全体斜視図である。
【図３】ペット用冷房装置の分解斜視図である。
【図４】受槽及び放熱板周りの斜視図である。
【図５】時間経過に対する各測定部位の温度対比グラフである。
【図６】(イ)が運転状態下の時間に対する各部温度の計測結果図、(ロ)が運転停止したときの時間に対する各部温度の計測結果図である。
【符号の説明】
【００２５】
１            基盤
１０          受熱板
２            放熱板
３            ヒートパイプ
３０          主部
３１          副部
３１２        起立部分
４            受槽
５            シート状体
５ｂ          先端部分（一部）
６            カバーケース
６４          ファン取付口
７            ファン
【図１】
2005061723.tif 000003
【図２】
2005061723.tif 000004
【図３】
2005061723.tif 000005
【図４】
2005061723.tif 000006
【図５】
2005061723.tif 000007
【図６】
2005061723.tif 000008